【手続補正書】
【提出日】平成17年6月17日(2005.6.17)
【手続補正１】
【補正対象書類名】特許請求の範囲
【補正対象項目名】全文
【補正方法】変更
【補正の内容】
【特許請求の範囲】
【請求項１】
信号を光学的にスイッチする方法であって、
第一および第二の光ファイバの屈折率に実質的に同じ電圧可変の定常状態屈折率「ｎ」を有する、特定の波長光に対してＷＧＭ共振可能である誘電性マイクロスフィアを、前記第一および第二の光ファイバのクラッドがない、あるいはクラッドが薄い領域の近くに配置し、
前記誘電性マイクロスフィアのどちらかの側に一対の電極を配置し、
前記誘電性マイクロスフィアの前記定常状態屈折率「ｎ」を変えるのに適切な電圧を前記一対の電極に与え、
前記誘電性マイクロスフィアが共振する前記特定の波長光を、前記第一の光ファイバ内の信号として与え、
電圧を打ち切り、それにより前記誘電性マイクロスフィアの屈折率「ｎ」を定常状態に戻し、
前記第一の光ファイバからの前記信号を、前記誘電性マイクロスフィアを横切って前記第二の光ファイバにスイッチし、
前記電圧を再び印加することを包含する方法。
【請求項２】
信号を光学的にスイッチする方法であって、
第一および第二の光ファイバの屈折率とは実質的に異なっている電圧可変の定常状態屈折率「ｎ」を有する、特定の波長光に対してＷＧＭ共振可能である誘電性マイクロスフィアを、前記第一および第二の光ファイバのクラッドのない、あるいはクラッドが薄い領域の近くに配置し、
前記誘電性マイクロスフィアのどちらかの側に一対の電極を配置し、
前記誘電性マイクロスフィアが共振する前記特定の波長光を、前記第一の光ファイバ内の信号として与え、
前記誘電性マイクロスフィアの前記定常状態屈折率「ｎ」を前記光ファイバの屈折率と実質的に同じになるように調整するのに適切な電圧を、前記一対の電極に通し、
前記第一の光ファイバからの前記信号を、前記誘電性マイクロスフィアを横切って前記第二の光ファイバにスイッチし、
前記電圧を打ち切り、それにより、前記誘電性マイクロスフィアの屈折率「ｎ」を定常状態に戻すことを包含している方法。
【請求項３】
信号を光学的にルーティングする方法であって、
クラッドのない、あるいはクラッドが薄い領域を有する第一の光ファイバを設け、
クラッドのない、あるいはクラッドが薄い領域を有する第二の光ファイバを設け、
それぞれが特定の波長光に対してＷＧＭ共振可能であり、それぞれが前記光ファイバの屈折率と実質的に同じである電圧可変の定常状態屈折率「ｎ」を有している２つ以上の誘電性マイクロスフィアを、前記第一および第二の光ファイバの前記クラッドのない、あるいはクラッドが薄い領域に配置し、
各誘電性マイクロスフィアのどちらかの側に一対の電極を配置し、
各誘電性マイクロスフィアの前記定常状態屈折率「ｎ」を変えるのに適切な電圧を前記一対の電極に通し、
前記第一の光ファイバ内に光帯域内のそれぞれが異なる波長をもつ複数の信号を与え、
スイッチすべき信号を選択し、
前記選択された信号に対してＷＧＭで共振する前記誘電性マイクロスフィアを選択して、それに印加されている電圧を打ち切り、それによって前記選択された誘電性マイクロスフィアの屈折率「ｎ」を定常状態に戻し、
前記第一の光ファイバの前記選択された信号を、前記選択された誘電性マイクロスフィアのＷＧＭ共振によって前記第二の光ファイバにスイッチし、
前記選択された誘電性マイクロスフィアに前記電圧を再印加することを包含する方法。
【請求項４】
信号を光学的にルーティングする方法であって、
クラッドのない、あるいはクラッドが薄い領域を有する第一の光ファイバを設け、
クラッドのない、あるいはクラッドが薄い領域を有する第二の光ファイバを設け、
それぞれが特定の波長光に対してＷＧＭ共振可能であり、それぞれが前記光ファイバの屈折率とは実質的に異なっている電圧可変の定常状態屈折率「ｎ」を有している２つ以上の誘電性マイクロスフィアを、前記第一および第二の光ファイバの前記クラッドのない、あるいはクラッドが薄い領域に配置し、
各誘電性マイクロスフィアのどちらかの側に一対の電極を配置し、
前記第一の光ファイバ内に光帯域内のそれぞれが異なる波長をもつ複数の信号を与え、
スイッチすべき信号を選択し、
前記選択された信号に対してＷＧＭで共振する前記誘電性マイクロスフィアを選択して、それに対して前記一対の電極間に電圧を印可し、それによって前記選択された誘電性マイクロスフィアの屈折率「ｎ」は前記光ファイバの屈折率と実質的に同じになるように変わり、
前記第一の光ファイバの前記選択された信号を、前記選択された誘電性マイクロスフィアのＷＧＭ共振によって前記第二の光ファイバにスイッチし、
前記選択された誘電性マイクロスフィアに印加されている前記電圧を打ち切ることを包含する方法。
【請求項５】
信号を光学的にスイッチする方法であって、
第一および第二の光ファイバの屈折率と実質的に同じである光で変更できる定常状態屈折率「ｎ」を有している、特定の波長光に対してＷＧＭ共振可能である誘電性マイクロスフィアを、前記第一および第二の光ファイバのクラッドのない、あるいはクラッドが薄い領域の近くに配置し、
前記マイクロスフィアに十分に強い光ビームを導き、それによってその定常状態屈折率「ｎ」が変更され、
前記誘電性マイクロスフィアが共振する前記特定の波長光を、前記第一の光ファイバ内の信号として与え、
前記十分に強い光ビームを打ち切り、それによって前記誘電性マイクロスフィアの屈折率「ｎ」が定常状態に戻り、
前記第一の光ファイバからの前記信号を前記誘電性マイクロスフィアを横切って前記第二の光ファイバへスイッチし、
前記十分に強い光を再びあてる
ことを包含している方法。
【請求項６】
信号を光学的にスイッチする方法であって、
第一および第二の光ファイバの屈折率とは実質的に異なっている光で変更できる定常状態屈折率「ｎ」を有している、特定の波長光に対してＷＧＭ共振可能である誘電性マイクロスフィアを、前記第一および第二の光ファイバのクラッドのない、あるいはクラッドが薄い領域の近くに配置し、
前記誘電性マイクロスフィアが共振する前記特定の波長光を、前記第一の光ファイバ内の信号として与え、
前記マイクロスフィアに十分に強い光ビームを導き、それによって前記誘電性マイクロスフィアの屈折率「ｎ」は前記光ファイバの屈折率と実質的に同じになり、
前記第一の光ファイバからの前記信号を前記誘電性マイクロスフィアを横切って前記第二の光ファイバへスイッチし、
前記十分に強い光を打ち切る
ことを包含している方法。
【請求項７】
信号を光学的にルーティングする方法であって、
クラッドのない、あるいはクラッドが薄い領域を有する第一の光ファイバを設け、
クラッドのない、あるいはクラッドが薄い領域を有する第二の光ファイバを設け、
それぞれが特定の波長光に対してＷＧＭ共振可能であり、それぞれが前記光ファイバの屈折率と実質的に同じである光で変えることができる定常状態屈折率「ｎ」を有している２つ以上の誘電性マイクロスフィアを、前記第一および第二の光ファイバの前記クラッドのない、あるいはクラッドが薄い領域の近くに配置し、
各誘電性マイクロスフィアに十分に強い光を導き、それによって前記定常状態屈折率「ｎ」が変更され、
前記第一の光ファイバに、光帯域内のそれぞれが異なる波長を有する複数の信号を提供し、
スイッチすべき信号を選択し、
前記誘電性マイクロスフィアを選択し、それに照射されている前記十分に強い光を打ち切り、それによって前記誘電性マイクロスフィアの屈折率「ｎ」は定常状態に戻り、
前記第一の光ファイバ内の前記選択された信号を、前記選択された誘電性マイクロスフィアのＷＧＭ共振によって前記第二の光ファイバにスイッチし、
前記選択された誘電性マイクロスフィアに前記十分に強い光を再び照射する
ことを包含している方法。
【請求項８】
信号を光学的にルーティングする方法であって、
クラッドのない、あるいはクラッドが薄い領域を有する第一の光ファイバを設け、
クラッドのない、あるいはクラッドが薄い領域を有する第二の光ファイバを設け、
それぞれが特定の波長光に対してＷＧＭ共振可能であり、それぞれが前記光ファイバの屈折率とは実質的に異なる光で変えることができる定常状態屈折率「ｎ」を有している２つ以上の誘電性マイクロスフィアを、前記第一および第二の光ファイバの前記クラッドのない、あるいはクラッドが薄い領域の近くに配置し、
前記第一の光ファイバに、光帯域内のそれぞれが異なる波長を有する複数の信号を与え、
スイッチすべき信号を選択し、
前記誘電性マイクロスフィアを選択し、それに照射される十分に強い光を導き、それによって前記誘電性マイクロスフィアの屈折率「ｎ」は前記光ファイバの屈折率と実質的に同じになり、
前記第一の光ファイバ内の前記選択された信号を、前記選択された誘電性マイクロスフィアのＷＧＭ共振によって前記第二の光ファイバにスイッチし、
前記選択された誘電性マイクロスフィアに導かれている前記十分に強い光を打ち切る
ことを包含している方法。
【請求項９】
クラッドのない、あるいはクラッドが薄い領域を有する第一の光ファイバと、
クラッドのない、あるいはクラッドが薄い領域を有する第二の光ファイバと、
光トラップと、
特定の波長光に対してＷＧＭ共振可能であり、前記光トラップ内に収容されており、前記光ファイバの屈折率と実質的に同じである定常状態屈折率「ｎ」を有している誘電性マイクロスフィアと
を備えている光スイッチ。
【請求項１０】
クラッドのない、あるいはクラッドが薄い領域を有する第一の光ファイバと、
クラッドのない、あるいはクラッドが薄い領域を有する第二の光ファイバと、
複数の光トラップと、
それぞれが特定の波長光に対してＷＧＭ共振可能であり、それぞれが光トラップ内に収容されており、前記光ファイバの屈折率と実質的に同じである定常状態屈折率「ｎ」を有している複数の誘電性マイクロスフィアと
を備えている光ルータ。
【請求項１１】
入力導波路と、
第一のグループの共振信号をスイッチ可能である、前記入力導波路の近くに固定された第一のサブフィルタと、
一つが前記第一のサブフィルタの共振信号でもあるような第二のグループの共振信号をスイッチ可能である、前記第一のサブフィルタの近くに固定された第二のサブフィルタと、
前記第二のサブフィルタの近くに固定された出力導波路と
を備えている光フィルタ。
【請求項１２】
入力導波路と、
第一のグループの共振信号をスイッチ可能である、前記入力導波路の近くに固定された第一のサブフィルタであって、それによって当該第一のサブフィルタは前記入力導波路内を進む光信号を受け取ることができるような第一のサブフィルタと、
一つが前記第一のサブフィルタの共振信号でもあるような第二のグループの共振信号をスイッチ可能である、前記第一のサブフィルタの近くに固定された第二のサブフィルタであって、それによって当該第二のサブフィルタは前記第一のサブフィルタからの光信号を受け取ることができるような第二のサブフィルタと、
前記第二のサブフィルタの近くに固定された出力導波路と、
前記第一および第二のサブフィルタの少なくとも一方を制御する「オン／オフ」手段と
を備えている光フィルタ。
【請求項１３】
入力導波路と、
出力導波路と、
第一のグループの共振信号に対してＷＧＭで共振する、前記入力導波路の近くに固定されて第一の共振構造−導波路界面を形成する第一のＷＧＭ共振構造であって、それによって、前記入力導波路から当該第一の共振構造への一過性の波の光信号伝搬が起こり得る、第一のＷＧＭ共振構造と、
そのうちの一つが前記第一の共振構造の共振信号でもある第二のグループの共振信号に対してＷＧＭで共振する、前記第一の共振構造の近くに固定されて直接の光スイッチ界面を形成する第二のＷＧＭ共振構造であって、それによって、前記第一のＷＧＭ共振構造から当該第二の共振構造への光信号伝搬が起こり得る、第二のＷＧＭ共振構造と、
前記第二のＷＧＭ共振構造と前記出力導波路との間に形成され、それにより前記第二のＷＧＭ共振構造から前記出力導波路への光信号伝搬が起こり得る第二の共振構造−導波路界面と
を備えている光フィルタ。
【請求項１４】
中間導波路と、
入力導波路と前記中間導波路との近くに固定された、第一のグループの共振信号用の第一のサブフィルタと、
前記中間導波路と出力導波路との近くに固定された、一つが前記第一の光スイッチの共振信号でもある第二の特定のグループの共振信号のための第二のサブフィルタと、
を備えている光フィルタ。
【請求項１５】
光フィルタを「オン／オフ」する方法であって、
接着剤をその上に有しているＷＧＭ共振構造に光信号を結合し、
前記光信号を、前記ＷＧＭ共振構造から、信号伝搬をサポートする第二の構造に結合し、
前記光信号の周波数、減衰、および破壊の状態の一つにおける変化によって、検体の存在を検出して、前記「オン／オフ」光フィルタのスイッチングのトリガとすることを包含している方法。